(57)【特許請求の範囲】
【請求項１】
着用者の陰茎に装着されて尿を吸収する男性用尿吸収物品であって、
略シート状の吸収体、前記吸収体の一の主面を覆うトップシート、および、前記吸収体の他方の主面を覆うバックシートを有するとともに長手方向に垂直な折り曲げ線に沿って前記トップシートを内側にして２つ折りにされた略シート状の本体部と、
前記本体部に設けられた止着部と、
を備え、
前記本体部が、
前記折り曲げ線近傍にて互いに重なり合う部位を前記長手方向に垂直な幅方向における両側のエッジにて連結することにより形成されるポケット部と、
前記ポケット部の前記互いに重なり合う部位の一方から連続して広がるとともに自由端側の一の角部に前記止着部が設けられる第１シート部と、
前記互いに重なる部位の他方から連続して広がるとともに前記第１シート部に対向する第２シート部と、
を備え、
着用者に装着される際に、前記第１シート部の前記自由端側の両角部が前記第２シート部側へと折り返されて前記止着部により互いに止着されることにより、陰茎を包む筒状部が形成されることを特徴とする男性用尿吸収物品。
【請求項２】
請求項１に記載の男性用尿吸収物品であって、
前記第２シート部の前記長手方向の長さが前記第１シート部の長さよりも長いことを特徴とする男性用尿吸収物品。
【請求項３】
請求項１または２に記載の男性用尿吸収物品であって、
着用者に装着された状態において、前記第２シート部の前記幅方向の幅が前記筒状部の幅よりも大きいことを特徴とする男性用尿吸収物品。
【請求項４】
請求項３に記載の男性用尿吸収物品であって、
前記第２シート部の前記幅が、展開された状態の前記第１シート部の幅よりも大きいことを特徴とする男性用尿吸収物品。
【請求項５】
請求項１ないし４のいずれかに記載の男性用尿吸収物品であって、
前記第１シート部が、前記吸収体に形成されるとともに前記自由端側から前記折り曲げ線に向かって互いに漸次離れる第１傾斜溝および第２傾斜溝を備え、
前記筒状部が形成される際に、前記第１シート部が、前記第１傾斜溝および前記第２傾斜溝に沿って折り曲げられることを特徴とする男性用尿吸収物品。
【請求項６】
請求項５に記載の男性用尿吸収物品であって、
前記第１傾斜溝および前記第２傾斜溝のそれぞれの前記自由端側の端部が、前記幅方向において互いに離れていることを特徴とする男性用尿吸収物品。
【請求項７】
請求項６に記載の男性用尿吸収物品であって、
前記第１傾斜溝および前記第２傾斜溝のそれぞれの前記自由端側の前記端部と前記本体部の前記長手方向を向く中心線との間の前記幅方向に関する距離が１ｃｍ以上４ｃｍ以下であることを特徴とする男性用尿吸収物品。
【請求項８】
請求項１ないし７のいずれかに記載の男性用尿吸収物品であって、
前記第２シート部が、前記吸収体に形成され、前記長手方向に略平行であって前記幅方向に配列される複数の溝を備え、
着用者に装着された状態において、前記複数の溝が前記筒状部に対向することを特徴とする男性用尿吸収物品。
【請求項９】
請求項１ないし８のいずれかに記載の男性用尿吸収物品であって、
前記本体部が、前記ポケット部において前記吸収体に形成される前記長手方向に略平行な溝をさらに備えることを特徴とする男性用尿吸収物品。
【請求項１０】
請求項１ないし９のいずれかに記載の男性用尿吸収物品であって、
前記本体部の前記折り曲げ線上における前記吸収体の前記幅方向の幅が、前記第１シート部および前記第２シート部における前記吸収体の幅よりも小さいことを特徴とする男性用尿吸収物品。
【請求項１１】
請求項１ないし１０のいずれかに記載の男性用尿吸収物品であって、
前記ポケット部の前記互いに重なる部位の前記両側のエッジが連結される前の展開された状態において、前記長手方向に伸びるとともに前記ポケット部の前記両側のエッジ近傍に伸張状態にて接着された弾性部材をさらに備えることを特徴とする男性用尿吸収物品。
【請求項１２】
請求項１ないし１１のいずれかに記載の男性用尿吸収物品であって、
前記幅方向に伸びるとともに前記第１シート部の前記自由端近傍に伸張状態にて接着されたもう１つの弾性部材をさらに備えることを特徴とする男性用尿吸収物品。
【請求項１３】
請求項１ないし１２のいずれかに記載の男性用尿吸収物品であって、
前記第１シート部の前記自由端側における前記吸収体のエッジ部において、前記幅方向の中央に切り欠きが設けられることを特徴とする男性用尿吸収物品。
【請求項１４】
請求項１ないし１３のいずれかに記載の男性用尿吸収物品であって、
前記第１シート部の前記自由端側における前記トップシートおよび前記バックシートのエッジ部において、前記幅方向の中央に切り欠きまたは切り込みが設けられることを特徴とする男性用尿吸収物品。
【請求項１５】
請求項１ないし１３のいずれかに記載の男性用尿吸収物品であって、
前記第１シート部において、前記幅方向の中央に前記バックシート側から前記トップシート側へと貫通するとともに陰茎が挿入されるスリットが形成されることを特徴とする男性用尿吸収物品。
【請求項１６】
請求項１ないし１５のいずれかに記載の男性用尿吸収物品であって、
前記止着部が、前記第１シート部の側方のエッジから外側に突出することを特徴とする男性用尿吸収物品。
【請求項１７】
請求項１ないし１６のいずれかに記載の男性用尿吸収物品であって、
前記止着部が面ファスナであることを特徴とする男性用尿吸収物品。
【請求項１８】
請求項１ないし１７のいずれかに記載の男性用尿吸収物品であって、
前記第１シート部の前記自由端近傍において前記バックシート上に設けられるとともに、着用者に装着された状態において、前記第２シート部の前記トップシートに対向して前記筒状部を前記第２シート部に止着するもう１つの止着部をさらに備えることを特徴とする男性用尿吸収物品。
【請求項１９】
請求項１ないし１８のいずれかに記載の男性用尿吸収物品であって、
前記第２シート部の前記バックシート上に設けられるとともに、着用者に装着された状態において、着用者に着用される外装物品の着用者側に止着される他の止着部をさらに備えることを特徴とする男性用尿吸収物品。
【発明の詳細な説明】
【技術分野】
【０００１】
本発明は、着用者に装着されて尿を吸収する男性用尿吸収物品に関する。
【背景技術】
【０００２】
使い捨ておむつでは、少量の排尿時であってもおむつ全体を交換する必要があるため、使用者にとって経済的な負担が大きくなってしまう。そこで、従来より、使い捨ておむつの内側に安価な補助吸収具（いわゆる、尿取りパッド等）を取り付けて着用し、少量の排尿時には補助吸収具のみを交換することが行われている。
【０００３】
このような補助吸収具の１つとして、使い捨ておむつや下着の内側において着用者の陰茎に装着される男性用吸収パッドが利用されている。例えば、特許文献１では、２つ折りにされた平板状の吸収性物品の両側縁部を接着して形成される袋状の男性用吸収パッドにおいて、折り目の一方側に陰茎を袋内部に挿入するための十字形状のスリット部が形成されている。
【０００４】
また、特許文献２の袋状の男性用尿とり袋では、袋の開口の縁部に切り込み部が設けられ、陰茎を当該開口から袋内部に挿入した状態で切り込み部の両側の部位を重ね合わせて止着することにより尿とり袋が陰茎に装着される。特許文献２では、コアにエンボス加工等を施すことにより形成された溝を尿とり袋の内側に設けることにより、尿とり袋を陰茎に密着させる技術が開示されている。
【特許文献１】特開２００２−３３６２８５号公報
【特許文献２】特許３３４５２４８号公報
【発明の開示】
【発明が解決しようとする課題】
【０００５】
ところで、特許文献１の男性用吸収パッドでは、陰茎はスリット部から挿入されているだけであるため、着用者の動作により吸収パッドの内側で陰茎の位置や向きが変わってしまい、吸収パッドがずれたり外れたりして尿が漏れてしまう恐れがある。また、吸収パッドが平板状であるため、尿が吸収パッドの側縁部や長手方向の端縁部へと流れやすく、当該縁部から漏れてしまう可能性もある。
【０００６】
特許文献２の男性用尿とり袋では、切り込み部の両側の部位を重ね合わせて止着することにより尿とり袋の陰茎に対する密着性をある程度向上させることはできるが、密着性をさらに向上しようとすると、装着時に開口を大幅に小さくする必要がある。特許文献２では、尿とり袋を形成するシート全体により陰茎を包んでいるため、開口を小さく絞るためには、切り込み部の長さを大きくする必要がある。しかしながら、切り込み部を大きくしてしまうと切り込み部から尿が漏れる可能性が高くなってしまうため、密着性の向上に限界がある。
【０００７】
本発明は、上記課題に鑑みなされたものであり、男性用尿吸収物品と着用者の陰茎との密着性を向上するとともに男性用尿吸収物品内における陰茎の移動を制限することを目的としている。
【課題を解決するための手段】
【０００８】
請求項１に記載の発明は、着用者の陰茎に装着されて尿を吸収する男性用尿吸収物品であって、略シート状の吸収体、前記吸収体の一の主面を覆うトップシート、および、前記吸収体の他方の主面を覆うバックシートを有するとともに長手方向に垂直な折り曲げ線に沿って前記トップシートを内側にして２つ折りにされた略シート状の本体部と、前記本体部に設けられた止着部とを備え、前記本体部が、前記折り曲げ線近傍にて互いに重なり合う部位を前記長手方向に垂直な幅方向における両側のエッジにて連結することにより形成されるポケット部と、前記ポケット部の前記互いに重なり合う部位の一方から連続して広がるとともに自由端側の一の角部に前記止着部が設けられる第１シート部と、前記互いに重なる部位の他方から連続して広がるとともに前記第１シート部に対向する第２シート部とを備え、着用者に装着される際に、前記第１シート部の前記自由端側の両角部が前記第２シート部側へと折り返されて前記止着部により互いに止着されることにより、陰茎を包む筒状部が形成される。
【０００９】
請求項２に記載の発明は、請求項１に記載の男性用尿吸収物品であって、前記第２シート部の前記長手方向の長さが前記第１シート部の長さよりも長い。
【００１０】
請求項３に記載の発明は、請求項１または２に記載の男性用尿吸収物品であって、着用者に装着された状態において、前記第２シート部の前記幅方向の幅が前記筒状部の幅よりも大きい。
【００１１】
請求項４に記載の発明は、請求項３に記載の男性用尿吸収物品であって、前記第２シート部の前記幅が、展開された状態の前記第１シート部の幅よりも大きい。
【００１２】
請求項５に記載の発明は、請求項１ないし４のいずれかに記載の男性用尿吸収物品であって、前記第１シート部が、前記吸収体に形成されるとともに前記自由端側から前記折り曲げ線に向かって互いに漸次離れる第１傾斜溝および第２傾斜溝を備え、前記筒状部が形成される際に、前記第１シート部が、前記第１傾斜溝および前記第２傾斜溝に沿って折り曲げられる。
【００１３】
請求項６に記載の発明は、請求項５に記載の男性用尿吸収物品であって、前記第１傾斜溝および前記第２傾斜溝のそれぞれの前記自由端側の端部が、前記幅方向において互いに離れている。
【００１４】
請求項７に記載の発明は、請求項６に記載の男性用尿吸収物品であって、前記第１傾斜溝および前記第２傾斜溝のそれぞれの前記自由端側の前記端部と前記本体部の前記長手方向を向く中心線との間の前記幅方向に関する距離が１ｃｍ以上４ｃｍ以下である。
【００１５】
請求項８に記載の発明は、請求項１ないし７のいずれかに記載の男性用尿吸収物品であって、前記第２シート部が、前記吸収体に形成され、前記長手方向に略平行であって前記幅方向に配列される複数の溝を備え、着用者に装着された状態において、前記複数の溝が前記筒状部に対向する。
【００１６】
請求項９に記載の発明は、請求項１ないし８のいずれかに記載の男性用尿吸収物品であって、前記本体部が、前記ポケット部において前記吸収体に形成される前記長手方向に略平行な溝をさらに備える。
【００１７】
請求項１０に記載の発明は、請求項１ないし９のいずれかに記載の男性用尿吸収物品であって、前記本体部の前記折り曲げ線上における前記吸収体の前記幅方向の幅が、前記第１シート部および前記第２シート部における前記吸収体の幅よりも小さい。
【００１８】
請求項１１に記載の発明は、請求項１ないし１０のいずれかに記載の男性用尿吸収物品であって、前記ポケット部の前記互いに重なる部位の前記両側のエッジが連結される前の展開された状態において、前記長手方向に伸びるとともに前記ポケット部の前記両側のエッジ近傍に伸張状態にて接着された弾性部材をさらに備える。
【００１９】
請求項１２に記載の発明は、請求項１ないし１１のいずれかに記載の男性用尿吸収物品であって、前記幅方向に伸びるとともに前記第１シート部の前記自由端近傍に伸張状態にて接着されたもう１つの弾性部材をさらに備える。
【００２０】
請求項１３に記載の発明は、請求項１ないし１２のいずれかに記載の男性用尿吸収物品であって、前記第１シート部の前記自由端側における前記吸収体のエッジ部において、前記幅方向の中央に切り欠きが設けられる。
【００２１】
請求項１４に記載の発明は、請求項１ないし１３のいずれかに記載の男性用尿吸収物品であって、前記第１シート部の前記自由端側における前記トップシートおよび前記バックシートのエッジ部において、前記幅方向の中央に切り欠きまたは切り込みが設けられる。
【００２２】
請求項１５に記載の発明は、請求項１ないし１３のいずれかに記載の男性用尿吸収物品であって、前記第１シート部において、前記幅方向の中央に前記バックシート側から前記トップシート側へと貫通するとともに陰茎が挿入されるスリットが形成される。
【００２３】
請求項１６に記載の発明は、請求項１ないし１５のいずれかに記載の男性用尿吸収物品であって、前記止着部が、前記第１シート部の側方のエッジから外側に突出する。
【００２４】
請求項１７に記載の発明は、請求項１ないし１６のいずれかに記載の男性用尿吸収物品であって、前記止着部が面ファスナである。
【００２５】
請求項１８に記載の発明は、請求項１ないし１７のいずれかに記載の男性用尿吸収物品であって、前記第１シート部の前記自由端近傍において前記バックシート上に設けられるとともに、着用者に装着された状態において、前記第２シート部の前記トップシートに対向して前記筒状部を前記第２シート部に止着するもう１つの止着部をさらに備える。
【００２６】
請求項１９に記載の発明は、請求項１ないし１８のいずれかに記載の男性用尿吸収物品であって、前記第２シート部の前記バックシート上に設けられるとともに、着用者に装着された状態において、着用者に着用される外装物品の着用者側に止着される他の止着部をさらに備える。
【発明の効果】
【００２７】
本発明では、男性用尿吸収物品の着用者の陰茎に対する密着性を向上することができるとともに陰茎の移動を制限することができる。請求項２ないし４の発明では、尿の漏れを確実に防止することができる。
【００２８】
請求項５の発明では、筒状部を容易に形成することができる。請求項８および１８の発明では、第２シート部の筒状部に対する密着性を向上することができる。請求項９の発明では、尿を折り曲げ線へと速やかに導くことができる。
【００２９】
請求項１０および１４の発明では、男性用尿吸収物品の着用感を向上することができる。請求項１１の発明では、ポケット部を立体的な形状とすることにより、尿の漏れをより確実に防止することができる。請求項１６および１７の発明では、男性用尿吸収物品の装着を容易化することができる。
【発明を実施するための最良の形態】
【００３０】
図１および図２は、本発明の第１の実施の形態に係る男性用尿吸収物品１の構成を示す平面図および側面図である。男性用尿吸収物品１は、着用者に着用される外装物品（例えば、使い捨ておむつやパンツ）の内側において、着用者の陰茎に装着されて尿を吸収する補助吸収具である。図２では、男性用尿吸収物品１の着用者側を上側にして描いている。
【００３１】
図１および図２に示すように、男性用尿吸収物品１は、長手方向（すなわち、図１中のＹ方向）に垂直な折り曲げ線２４に沿って２つ折りにされた略シート状の本体部２を備え、本体部２は、略シート状の吸収体である吸収コア２２、吸収コア２２の陰茎に対向する側（すなわち、（＋Ｚ）側）の主面を覆うトップシート２１、および、吸収コア２２のもう一方の主面を覆うバックシート２３を有する。トップシート２１およびバックシート２３は、ホットメルト接着剤等により吸収コア２２の周囲にて互いに接合されており、本体部２は、トップシート２１を内側にして２つ折りにされている。
【００３２】
図１および図２に示すように、本体部２は、折り曲げ線２４近傍にて互いに重なり合う部位を長手方向に垂直な幅方向（すなわち、図１中のＸ方向）における両側のエッジにて連結することにより形成されるポケット部３１、ポケット部３１の互いに重なり合う部位の一方（すなわち、図２中の（＋Ｚ）側の部位）から連続してＹ方向へ広がる第１シート部３２、および、ポケット部３１の互いに重なり合う部位の他方（すなわち、図２中の（−Ｚ）側の部位）から連続してＹ方向へ広がるとともに第１シート部３２に対向する第２シート部３３を備える。ポケット部３１におけるエッジの連結は、対向するトップシート２１をホットメルト接着剤により接合して行われる。なお、当該エッジの連結は、熱接着や超音波接着により行われてもよい。
【００３３】
以下の説明では、図２中において折り曲げ線２４よりも（＋Ｚ）側の部位（すなわち、ポケット部３１の互いに重なり合う部位のうち（＋Ｚ）側の部位、および、第１シート部３２）を「後方部３０１」と呼び、折り曲げ線２４よりも（−Ｚ）側の部位（すなわち、ポケット部３１の互いに重なり合う部位のうち（−Ｚ）側の部位、および、第２シート部３３）を「前方部３０２」と呼ぶ。換言すれば、本体部２は、折り曲げ線２４の一方側にて連続的に広がる前方部３０２、および、折り曲げ線２４の他方側にて連続的に広がる後方部３０１を備える。
【００３４】
トップシート２１は透液性の材料、例えば、親水性繊維により形成された不織布であり、着用者から排泄された尿等の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００３５】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００３６】
バックシート２３は撥水性または不透液性の不織布であり、トップシート２１を透過した水分、および、吸収コア２２に一旦吸収された水分が、本体部２の陰茎に対向する側とは反対側や幅方向の両側にしみ出すのを防止する。バックシート２３として利用される不織布は、例えば、スパンボンド不織布やメルトブロー不織布、ＳＭＳ不織布であり、必要に応じて撥水処理が施されてもよい。なお、撥水性または不透液性のプラスチックフィルムや、上記不織布とプラスチックフィルムとの複合材料等がバックシート２３として利用されてもよい。この場合、着用者の快適性の観点からは、通気性を有するプラスチックフィルムが利用されることが好ましい。
【００３７】
図１および図２に示すように、男性用尿吸収物品１は、第１シート部３２の自由端３２１（後方部３０１の自由端でもある。）近傍の一の角部においてバックシート２３上に設けられる第１止着部４１、および、他方の角部においてバックシート２３上に設けられる第２止着部４２（図１参照）を備える。換言すれば、第１止着部４１および第２止着部４２はそれぞれ、本体部２の折り曲げ線２４とは反対側の角部に設けられる。男性用尿吸収物品１は、また、第２シート部３３の自由端３３１（前方部３０２の自由端でもある。）近傍においてバックシート２３上に設けられる第３止着部４３を備える。第１止着部４１、第２止着部４２および第３止着部４３は、微小なフック部材を多数有する面ファスナであり、後述するように、本体部２のトップシート２１や使い捨ておむつ等の外装物品の着用者側の不織布や布地中の繊維群に着脱可能に接合される。
【００３８】
図３は、着用者に装着された状態の男性用尿吸収物品１を示す平面図であり、図４は、装着途上の男性用尿吸収物品１を示す斜視図である。男性用尿吸収物品１が着用者に装着される際には、図３および図４に示すように、第１シート部３２（すなわち、後方部３０１）の自由端３２１側の両角部が第２シート部３３側（すなわち、前方部３０２側）へと折り返され、図４に示すように、第１止着部４１が、第２止着部４２が設けられている角部近傍の部位のトップシート２１に止着される。これにより、第１シート部３２の自由端３２１側の両角部が互いに止着されて陰茎を包む筒状部３２０が形成される。
【００３９】
男性用尿吸収物品１が着用者に装着された状態においては、図３および図４に示す筒状部３２０（すなわち、第１シート部３２）の自由端３２１が着用者の陰茎の付け根近傍に位置する。また、折り曲げ線２４に沿ってトップシート２１側へと折り返されている前方部３０２において、第２シート部３３が筒状部３２０に重ねられる。図４に示す第２止着部４２は、第２シート部３３（すなわち、前方部３０２）のトップシート２１に対向しており、第２止着部４２が第２シート部３３のトップシート２１に接合されることにより、筒状部３２０が第２シート部３３（すなわち、前方部３０２）に止着される。そして、図３に示す第３止着部４３が使い捨ておむつ等の外装物品の着用者側に止着されることにより、男性用尿吸収物品１が使い捨ておむつ等に止着される。
【００４０】
図３に示すように、男性用尿吸収物品１では、着用者に装着された状態において、第２シート部３３（すなわち、前方部３０２の筒状部３２０に重なる部位）の幅方向の幅Ｗ２が筒状部３２０の自由端３２１側の幅Ｗ１よりも大きく、また、第２シート部３３の長手方向の長さＬ２が筒状部３２０の長さ（すなわち、第１シート部３２の長さ）Ｌ１よりも長い。換言すれば、男性用尿吸収物品１では、前方部３０２の長手方向の長さＬ４が後方部３０１の長さＬ３よりも長い。
【００４１】
図５は、男性用尿吸収物品１において、ポケット部３１の互いに重なる部位の両側のエッジが連結される前の展開された状態を示す平面図である。図５では、折り曲げ線２４を二点鎖線にて示す。男性用尿吸収物品１では、略矩形状の本体部２の折り曲げ線２４上における吸収コア２２の幅方向の幅Ｗ３が、第１シート部３２（すなわち、展開された状態の筒状部３２０）における吸収コア２２の幅Ｗ４、および、第２シート部３３（すなわち、前方部３０２の筒状部３２０（図３参照）に重なる部位）における吸収コア２２の幅Ｗ５よりも小さい。
【００４２】
図５に示すように、男性用尿吸収物品１は、ポケット部３１（すなわち、折り曲げ線２４近傍）の幅方向の両側のエッジ近傍に長手方向に伸びる複数の第１弾性部材５１を備える。第１弾性部材５１は、本体部２が展開された状態において、本体部２の吸収コア２２とバックシート２３との間に伸張状態にて接着されている。男性用尿吸収物品１では、第１弾性部材５１が収縮することにより、ポケット部３１の両側のエッジ近傍が本体部２の長手方向を向く中心線２０側に引っ張られ、図４に示すように、ポケット部３１が立体的な形状とされる。
【００４３】
また、男性用尿吸収物品１は、図５に示すように、第１シート部３２（すなわち、後方部３０１）の自由端３２１近傍に幅方向に伸びる第２弾性部材５２を備える。第２弾性部材５２は、トップシート２１とバックシート２３との間に伸張状態にて接着されている。本実施の形態では、第１シート部３２のおよそ全幅に亘って第２弾性部材５２が設けられているが、第２弾性部材５２は、例えば、第１シート部３２の幅方向の中央部にのみ設けられてもよく、また、第１止着部４１近傍にのみ設けられてもよい。第１弾性部材５１および第２弾性部材５２としては、ポリウレタン糸、ポリウレタンフィルム、天然ゴム等が用いられ、ホットメルト接着剤により本体部２に接着されている。なお、第１弾性部材５１および第２弾性部材５２は、超音波接合やヒートシール等により本体部２に接合されてもよい。
【００４４】
図５に示すように、後方部３０１の第１シート部３２は、中心線２０に対して傾斜して吸収コア２２に形成される第１傾斜溝６１および第２傾斜溝６２を備え、第１傾斜溝６１および第２傾斜溝６２は、自由端３２１側から折り曲げ線２４に向かって互いに漸次離れる。第１傾斜溝６１および第２傾斜溝６２は中心線２０とは交差しておらず、第１傾斜溝６１および第２傾斜溝６２のそれぞれの自由端３２１側の端部は、幅方向（すなわち、図５中のＸ方向）において互いに離れている。
【００４５】
第１傾斜溝６１および第２傾斜溝６２の自由端３２１側の端部と中心線２０との間の幅方向に関する距離はそれぞれ、好ましくは１ｃｍ以上４ｃｍ以下（本実施の形態では、約２．５ｃｍ）とされ、本実施の形態では、各端部と第１シート部３２の自由端３２１との間の長手方向に関する距離は約３．５ｃｍとされる。男性用尿吸収物品１では、仮に第１傾斜溝６１を自由端３２１側に延長したとすると、当該延長線は、中心線２０の第１傾斜溝６１側において吸収コア２２の自由端３２１側のエッジと交差する（第２傾斜溝６２においても同様）。換言すれば、第１傾斜溝６１の延長線と第２傾斜溝６２の延長線とは、吸収コア２２上において交点を有しない。男性用尿吸収物品１では、筒状部３２０（図３参照）が形成される際に、第１シート部３２（すなわち、後方部３０１）が第１傾斜溝６１および第２傾斜溝６２に沿ってトップシート２１側へと折り曲げられる。
【００４６】
図６は、男性用尿吸収物品１を図５中に示すＡ−Ａの位置で切断した断面図である。図６に示すように、本実施の形態では、男性用尿吸収物品１の本体部２では吸収コア２２が２層構造とされ、第１傾斜溝６１および第２傾斜溝６２は、吸収コア２２の両傾斜溝に対応する線状の領域において２つの層を取り除くことにより（あるいは、吸収コア２２の形成時に当該領域にパルプ繊維等の親水性繊維を設けないことにより）形成される。
【００４７】
図５に示すように、本体部２は、後方部３０１のポケット部３１に対応する領域において、吸収コア２２に形成される長手方向に略平行な第１縦溝６３を備える。第１縦溝６３も、第１傾斜溝６１および第２傾斜溝６２と同様に、２層構造の吸収コア２２の両層を取り除くことにより形成される。本実施の形態では、第１縦溝６３は後方部３０１のポケット部３１に対応する領域から第１シート部３２まで伸びている。
【００４８】
本体部２では、第１縦溝６３が前方部３０２のポケット部３１に対応する領域に形成されてもよく、また、複数の第１縦溝６３が、後方部３０１および／または前方部３０２のポケット部３１に対応する領域に形成されてもよい。換言すれば、本体部２は、前方部３０２および後方部３０１の少なくともいずれか一方の折り曲げ線２４近傍において吸収コア２２に形成される１本以上の第１縦溝６３を備える。
【００４９】
また、前方部３０２の第２シート部３３は、長手方向に略平行に吸収コア２２に形成される２本の第２縦溝６４を備える。２本の第２縦溝６４は幅方向に配列され、男性用尿吸収物品１が着用者に装着された状態において、筒状部３２０に対向する。第２縦溝６４は、線状の領域において２層構造の吸収コア２２のうち、トップシート２１側の１層のみを取り除くことにより形成されている。第２シート部３３では、筒状部３２０に対向する３本以上の第２縦溝６４が形成されてもよい。
【００５０】
第１傾斜溝６１、第２傾斜溝６２、第１縦溝６３および第２縦溝６４は、上述のように、２層構造の吸収コア２２の両方の層が取り除かれて形成されてもよく、いずれか１層のみが取り除かれて形成されてもよい。また、各溝は、エンボス加工等により吸収コア２２が圧縮されて形成されてもよい。吸収コア２２は２層構造には限定されず、３層以上の積層構造とされてもよく、１層のみの親水性繊維層により形成されてもよい。
【００５１】
以上に説明したように、男性用尿吸収物品１では、第１シート部３２（すなわち、後方部３０１）の自由端３２１側の両角部が、第２シート部３３（すなわち、前方部３０２）側へと折り返されて第１止着部４１により互いに止着されることにより筒状部３２０が形成される。男性用尿吸収物品１では、筒状部３２０により陰茎を包むことにより、男性用尿吸収物品１の着用者の陰茎に対する密着性を向上することができるとともに陰茎の移動を制限することができる。その結果、男性用尿吸収物品１から外部への尿の漏れを防止することができる。
【００５２】
男性用尿吸収物品１では、筒状部３２０に連続して設けられるポケット部３１により尿を受け止めて保持することにより、尿の漏れをより確実に防止することができる。本体部２では、ポケット部３１において吸収コア２２に形成される第１縦溝６３により、ポケット部３１へと流れてきた尿を、ポケット部３１の開口側から折り曲げ線２４へと（すなわち、本体部２の長手方向の端部から離れる方向へと）速やかに導くことができる。これにより、男性用尿吸収物品１の長手方向の端部からの尿の漏れを確実に防止することができる。さらには、ポケット部３１の両側のエッジ近傍に設けられた第１弾性部材５１により、ポケット部３１（すなわち、本体部２の折り曲げ線２４近傍の部位）が立体的な形状とされるため、男性用尿吸収物品１からの尿の漏れをさらに確実に防止することができる。
【００５３】
男性用尿吸収物品１を装着する際には、第１シート部３２（すなわち、後方部３０１）を第１傾斜溝６１および第２傾斜溝６２に沿って折り曲げることにより筒状部３２０を容易に形成することができる。このため、男性用尿吸収物品１の着用者に対する密着性をより向上することができるとともに陰茎の移動をより一層制限することができ、その結果、男性用尿吸収物品１から外部への尿の漏れをより一層防止することができる。
【００５４】
男性用尿吸収物品１では、第１傾斜溝６１および第２傾斜溝６２の自由端３２１側の端部が幅方向において互いに離れているため、第１傾斜溝６１および第２傾斜溝６２に沿って第１シート部３２が折り曲げられる際に、吸収コア２２の自由端３２１側のエッジにおいて、中心線２０近傍の部位が折り重ねられることなく陰茎の付け根近傍に当接する。このため、男性用尿吸収物品１の着用者に対する密着性をさらに向上することができるとともに陰茎の移動をさらに制限することができる。この場合、陰茎の標準的な直径等を考慮すると、第１傾斜溝６１および第２傾斜溝６２のそれぞれの自由端３２１側の端部と中心線２０との間の幅方向に関する距離は、１ｃｍ以上４ｃｍ以下（より好ましくは、２ｃｍ以上３ｃｍ以下）とされることが好ましい。
【００５５】
また、第１シート部３２の自由端３２１近傍に設けられる第２弾性部材５２により、筒状部３２０の陰茎の付け根近傍に当接する部位を、陰茎の膨張および収縮に容易に追従させることができる。これにより、男性用尿吸収物品１の着用者に対する密着性をより向上することができるとともに陰茎の移動をさらに制限することができる。
【００５６】
男性用尿吸収物品１では、装着時に本体部２が２つ折りにされており、第２シート部３３（すなわち、前方部３０２）が陰茎を包む筒状部３２０に重ねられることにより、筒状部３２０から外側に流れ出る尿を第２シート部３３により吸収して男性用尿吸収物品１からの尿の漏れ（すなわち、男性用尿吸収物品１により覆われている領域から外側への尿の漏れ）をより確実に防止することができる。さらには、筒状部３２０が着用者への装着時に形成されるため、製造時には筒状部３２０を形成する必要がない。そのため、男性用尿吸収物品１の構造および製造工程を簡素化することができ、製造コストを低減することができる。
【００５７】
着用者に装着された状態における男性用尿吸収物品１では、第２シート部３３の幅が筒状部３２０の自由端３２１側の幅よりも大きいため、第２シート部３３が筒状部３２０の側方に突出して着用者の腹側の肌に接する。これにより、筒状部３２０から側方に尿が流れ出ることがあっても、流れ出た尿を第２シート部３３により吸収することができるため、男性用尿吸収物品１から使い捨ておむつ等の外装物品への尿の漏れをより確実に防止することができる。
【００５８】
また、第２シート部３３の長さが第１シート部３２よりも長いため、第２シート部３３が筒状部３２０よりも長手方向において突出して着用者の腹側の肌に接する。これにより、筒状部３２０の自由端３２１側（すなわち、陰茎の付け根側）から尿が流れ出ることがあっても、流れ出た尿を第２シート部３３により吸収することができるため、男性用尿吸収物品１から使い捨ておむつ等の外装物品への尿の漏れをより確実に防止することができる。
【００５９】
男性用尿吸収物品１では、第２シート部３３に筒状部３２０と対向する複数の第２縦溝６４が設けられることにより、筒状部３２０に重ねられた第２シート部３３を幅方向において滑らかに湾曲させることができるため、第２シート部３３（すなわち、前方部３０２）の筒状部３２０に対する密着性を向上することができる。また、第２止着部４２により筒状部３２０を第２シート部３３のトップシート２１に止着することにより、第２シート部３３（すなわち、前方部３０２）の筒状部３２０に対する密着性をさらに向上することができる。これにより、筒状部３２０が第２シート部３３に対してずれたり、筒状部３２０と第２シート部３３との間に隙間が生じることを防止することができる。その結果、男性用尿吸収物品１の着用者に対する密着性をより向上することができるとともに陰茎の移動をより確実に制限することができる。
【００６０】
さらには、第３止着部４３により男性用尿吸収物品１を使い捨ておむつ等の外装物品に止着することにより、男性用尿吸収物品１が外装物品の内部において動いてしまうことを防止することができる。これにより、男性用尿吸収物品１が着用者の陰茎からずれたり外れることを確実に防止し、男性用尿吸収物品１の着用者に対する密着性をより向上することができる。
【００６１】
本体部２では、折り曲げ線２４上における吸収コア２２の幅が、第１シート部３２および第２シート部３３における吸収コア２２の幅よりも小さいため、着用者に装着された状態における男性用尿吸収物品１の先端（すなわち、陰茎の先端側の端部）を小さくすることができる。これにより、使い捨ておむつ等の外装物品の股間部における男性用尿吸収物品１の体積を小さくすることができ、男性用尿吸収物品１の着用感を向上することができる。
【００６２】
男性用尿吸収物品１では、第１止着部４１が面ファスナとされることにより、筒状部３２０を形成する際に第１止着部４１をトップシート２１に直接止着することができるとともに第１止着部４１を繰り返し脱着することができる。このため、男性用尿吸収物品１の装着位置等の調整を容易に行うことができ、男性用尿吸収物品１の陰茎への装着を容易化することができる。また、第１止着部４１を止着するための他の部材（例えば、粘着テープを止着するためのターゲットテープ）を特に必要としないため、男性用尿吸収物品１の製造コストの低減を図ることもできる。また、第２止着部４２および第３止着部４３も面ファスナであるため、筒状部３２０の第２シート部３３への止着、および、男性用尿吸収物品１の外装物品への止着を容易に、かつ、繰り返し行うことができる。
【００６３】
次に、本発明の第２の実施の形態に係る男性用尿吸収物品１ａについて説明する。図７は、男性用尿吸収物品１ａを示す平面図である。図７に示すように、男性用尿吸収物品１ａでは、第１シート部３２（すなわち、後方部３０１）の自由端３２１側における吸収コア２２の長手方向（図７中のＹ方向）のエッジ部において、幅方向の略中央に切り欠き２５が設けられる。また、第１シート部３２（すなわち、後方部３０１）の自由端３２１側におけるトップシート２１およびバックシート２３の長手方向のエッジ部において、幅方向の略中央に切り欠き２６が設けられる。その他の構成は図１にしめす男性用尿吸収物品１と同様であり、以下の説明において同符号を付す。
【００６４】
男性用尿吸収物品１ａでは、第１の実施の形態と同様に、第１シート部３２により形成される筒状部３２０（図３参照）により陰茎を包むことにより、男性用尿吸収物品１ａの着用者の陰茎に対する密着性を向上することができるとともに陰茎の移動を制限することができる。その結果、男性用尿吸収物品１ａから外部への尿の漏れを防止することができる。
【００６５】
男性用尿吸収物品１ａでも、ポケット部３１により尿を受け止めて保持することにより、尿の漏れをより確実に防止することができる。また、第１縦溝６３により尿をポケット部３１の開口側から折り曲げ線２４へと速やかに導くことができるため、男性用尿吸収物品１ａの長手方向の端部からの尿の漏れを確実に防止することができる。さらには、第１弾性部材５１によりポケット部３１が立体的な形状とされるため、男性用尿吸収物品１ａからの尿の漏れをさらに確実に防止することができる。
【００６６】
また、第１の実施の形態と同様に、第１傾斜溝６１および第２傾斜溝６２により、筒状部３２０を容易に形成することができ、男性用尿吸収物品１ａの着用者に対する密着性をより向上することができるとともに陰茎の移動をより一層制限することができる。第１シート部３２では、第１傾斜溝６１および第２傾斜溝６２の自由端３２１側の端部が幅方向において互いに離れているため、男性用尿吸収物品１ａの着用者に対する密着性をさらに向上することができるとともに陰茎の移動をさらに制限することができる。男性用尿吸収物品１ａでは、第２弾性部材５２により、男性用尿吸収物品１ａの着用者に対する密着性をより向上することができるとともに陰茎の移動をより一層制限することができる。男性用尿吸収物品１ａでは、第２弾性部材５２は、第１シート部３２のおよそ全幅に亘って設けられる。この場合、第２弾性部材５２は、第１シート部３２のエッジ部および切り欠き２６に沿って曲げられつつトップシート２１およびバックシート２３に接着される。また、第２弾性部材５２は、切り欠き２６の幅方向の両側にのみ設けられてもよい。この場合、切り欠き２６の両側において、比較的短い第２弾性部材５２がトップシート２１およびバックシート２３に接着される。あるいは、比較的長い第２弾性部材５２が、切り欠き２６が形成されるよりも前に（すなわち、トップシート２１およびバックシート２３から切り欠き２６に対応する切除部位が切り取られるよりも前に）、第１シート部３２のおよそ全幅に亘って直線状に接着され、その後、トップシート２１およびバックシート２３の切除部位が第２弾性部材５２の略中央部と共に切り取られることにより切り欠き２６の両側に設けられる。
【００６７】
男性用尿吸収物品１ａでは、第１の実施の形態と同様に、第２シート部３３の幅が筒状部３２０の自由端３２１側の幅よりも大きく、また、第２シート部３３の長さが第１シート部３２よりも長いため、筒状部３２０から外側に流れ出る尿を第２シート部３３により吸収して男性用尿吸収物品１ａから使い捨ておむつ等の外装物品への尿の漏れをより確実に防止することができる。
【００６８】
男性用尿吸収物品１ａでも、複数の第２縦溝６４により、第２シート部３３（すなわち、前方部３０２）の筒状部３２０に対する密着性を向上することができる。また、第２止着部４２により、第２シート部３３（すなわち、前方部３０２）の筒状部３２０に対する密着性をさらに向上することができる。さらには、第３止着部４３により、男性用尿吸収物品１ａが外装物品の内部において動いてしまうことを防止することができる。これにより、男性用尿吸収物品１ａの着用者に対する密着性をより向上することができる。
【００６９】
本体部２では、第１の実施の形態と同様に、折り曲げ線２４上における吸収コア２２の幅が、第１シート部３２および第２シート部３３における吸収コア２２の幅よりも小さいため、使い捨ておむつ等の外装物品の股間部における男性用尿吸収物品１ａの体積を小さくすることができ、男性用尿吸収物品１ａの着用感を向上することができる。男性用尿吸収物品１ａでは、第１止着部４１が面ファスナとされることにより、男性用尿吸収物品１ａの陰茎への装着を容易化することができる。
【００７０】
男性用尿吸収物品１ａでは、特に、第１シート部３２の吸収コア２２に切り欠き２５が設けられることにより、男性用尿吸収物品１ａの装着時に、第１シート部３２の幅方向の中央において吸収コア２２が着用者側に突出することを抑制し、第１シート部３２の自由端３２１側のエッジ全体を陰茎の付け根近傍に当接することができる。このため、男性用尿吸収物品１ａの着用者に対する密着性をより向上することができるとともに陰茎の移動をより確実に制限することができる。
【００７１】
また、第１シート部３２のトップシート２１およびバックシート２３に切り欠き２６が設けられることにより、男性用尿吸収物品１ａの装着時に、第１シート部３２の幅方向の中央においてトップシート２１およびバックシート２３が着用者側に突出して陰茎の付け根近傍に強く接触することを抑制することができる。このため、男性用尿吸収物品１ａの着用感を向上することができる。
【００７２】
介護者により被介護者の陰茎に男性用尿吸収物品が装着される場合、装着作業の負担軽減という観点から、男性用尿吸収物品の位置決めを容易に行うことができることが好ましい。男性用尿吸収物品１ａでは、切り欠き２５，２６を目印として（すなわち、切り欠き２５，２６の陰茎に対する相対位置に基づいて）男性用尿吸収物品１ａを装着することにより、男性用尿吸収物品１ａを装着する際の位置決めを容易に行うことができ、男性用尿吸収物品１ａの交換時に新しい男性用尿吸収物品１ａを陰茎のほぼ同じ位置に容易に装着することができる。
【００７３】
なお、男性用尿吸収物品１ａでは、第１シート部３２（すなわち、後方部３０１）の自由端３２１側において、トップシート２１およびバックシート２３のエッジ部の略中央に、切り欠き２６に代えて切り込みが設けられてもよい。
【００７４】
次に、本発明の第３の実施の形態に係る男性用尿吸収物品１ｂについて説明する。図８は、男性用尿吸収物品１ｂを示す平面図である。男性用尿吸収物品１ｂでは、第１シート部３２（すなわち、後方部３０１）の自由端３２１近傍において、幅方向（図８中のＸ方向）の略中央にバックシート２３側からトップシート２１側へと貫通するスリット２７が形成される。その他の構成は図１にしめす男性用尿吸収物品１と同様であり、以下の説明において同符号を付す。
【００７５】
男性用尿吸収物品１ｂが着用者に装着される際には、バックシート２３側からスリット２７に陰茎を挿入してトップシート２１側へと突出させた状態で、第１シート部３２の自由端３２１側の両角部が第２シート部３３側へと折り返されて互いに止着されることにより筒状部３２０が形成される。
【００７６】
男性用尿吸収物品１ｂでは、特に、陰茎をスリット２７に挿入して第１シート部３２に対する相対位置を固定した上で筒状部３２０（図３参照）により包むことにより、男性用尿吸収物品１ｂの着用者に対する密着性をより向上することができるとともに陰茎の移動をより確実に制限することができる。
【００７７】
介護者により被介護者の陰茎に男性用尿吸収物品が装着される場合、装着作業の負担軽減という観点から、男性用尿吸収物品の位置決めを容易に行うことができ、さらに、一度で確実に装着できることが好ましい。男性用尿吸収物品１ｂでは、スリット２７に陰茎を挿入することにより、男性用尿吸収物品１ｂを装着する際の位置決めを容易に行うことができ、男性用尿吸収物品１ｂの交換時に新しい男性用尿吸収物品１ｂを陰茎のほぼ同じ位置に容易かつ確実に装着することができる。
【００７８】
次に、本発明の第４の実施の形態に係る男性用尿吸収物品１ｃについて説明する。図９は、男性用尿吸収物品１ｃを示す平面図である。図９に示すように、男性用尿吸収物品１ｃでは、前方部３０２の筒状部３２０（図３参照）に重なる部位である第２シート部３３の幅方向（すなわち、図９中のＸ方向）の幅Ｗ７が、展開された状態の筒状部３２０（すなわち、第１シート部３２）の幅Ｗ６よりも大きい。その他の構成は図１にしめす男性用尿吸収物品１と同様であり、以下の説明において同符号を付す。
【００７９】
男性用尿吸収物品１ｃでは、図１に示す男性用尿吸収物品１よりも第２シート部３３の幅をさらに大きくすることにより、男性用尿吸収物品１ｃが装着された状態において、第２シート部３３が筒状部３２０の側方にさらに突出して着用者の腹側の肌に広く接する。これにより、筒状部３２０から側方に尿が流れ出ることがあっても、流れ出た尿を第２シート部３３によりさらに確実に吸収することができるため、男性用尿吸収物品１ｃから使い捨ておむつ等の外装物品への尿の漏れをさらに確実に防止することができる。
【００８０】
次に、本発明の第５の実施の形態に係る男性用尿吸収物品１ｄについて説明する。図１０は、男性用尿吸収物品１ｄを示す平面図である。図１０に示すように、男性用尿吸収物品１ｄでは、第１シート部３２の自由端３２１側の（−Ｘ）側の角部に、第１シート部３２（すなわち、後方部３０１）の（−Ｘ）側の側方のエッジから外側に突出する止着テープ４４が設けられ、止着テープ４４の（−Ｚ）側に面ファスナである第１止着部４１ａが設けられる。その他の構成は図１にしめす男性用尿吸収物品１と同様であり、以下の説明において同符号を付す。
【００８１】
男性用尿吸収物品１ｄを陰茎に装着する際には、第１シート部３２の（＋Ｘ）側の角部を第２シート部３３側へと折り返し、その上から（−Ｘ）側の角部を折り返して（＋Ｘ）側の角部のバックシート２３に第１止着部４１ａを止着することにより筒状部３２０（図３参照）が形成される。
【００８２】
男性用尿吸収物品１ｄでは、第１止着部４１ａが吸収コア２２から離れて本体部２から側方へと突出しているため、第１止着部４１ａを容易に掴むことができるとともに容易に止着することができる。これにより、男性用尿吸収物品１ｄの装着を容易化することができる。なお、着用前の状態（すなわち、製造途上や包装袋に包装された状態等）においては、男性用尿吸収物品１ｄの取り扱いを容易にするという観点から、止着テープ４４および第１止着部４１ａは第１シート部３２の側方に突出していないことが好ましい。このため、着用前の状態においては、止着テープ４４は、第１シート部３２の（−Ｘ）側の側方のエッジにおいて、第１止着部４１ａをトップシート２１に対向させつつトップシート２１側へと折り返されている。また、図１０では、止着テープ４４の付け根側が第１シート部３２のバックシート２３上に接合されているが、止着テープ４４は、例えば、トップシート２１とバックシート２３との間に挟まれた状態で第１シート部３２に接合されてもよい。
【００８３】
以上、本発明の実施の形態について説明してきたが、本発明は上記実施の形態に限定されるものではなく、様々な変更が可能である。
【００８４】
例えば、男性用尿吸収物品の第１止着部４１，４１ａおよび第２止着部４２が止着される部位には、面ファスナのフック部材と係合するループ部材が設けられ、各止着部による止着がより強固なものとされてもよい。また、第１止着部４１，４１ａ、第２止着部４２および第３止着部４３として、面ファスナに代えて粘着テープが用いられてもよい。この場合、装着前の男性用尿吸収物品においては各止着部を覆う保護テープが設けられ、装着時に当該保護テープが剥離される。なお、この場合は粘着テープが止着される部位にターゲットテープが設けられることが好ましい。
【００８５】
第１止着部４１，４１ａ、第２止着部４２および第３止着部４３は、必ずしも男性用尿吸収物品のバックシート２３上に直接設けられる必要はなく、例えば、トップシート２１が長手方向の端部においてバックシート２３側へと折り返されている場合には、トップシート２１を介してバックシート２３上に間接的に設けられる。
【図面の簡単な説明】
【００８６】
【図１】第１の実施の形態に係る男性用尿吸収物品を示す平面図である。
【図２】男性用尿吸収物品を示す側面図である。
【図３】着用者に装着された状態の男性用尿吸収物品を示す平面図である。
【図４】装着途上の男性用尿吸収物品を示す斜視図である。
【図５】男性用尿吸収物品の展開された状態を示す平面図である。
【図６】男性用尿吸収物品を示す断面図である。
【図７】第２の実施の形態に係る男性用尿吸収物品を示す平面図である。
【図８】第３の実施の形態に係る男性用尿吸収物品を示す平面図である。
【図９】第４の実施の形態に係る男性用尿吸収物品を示す平面図である。
【図１０】第５の実施の形態に係る男性用尿吸収物品を示す平面図である。
【符号の説明】
【００８７】
１，１ａ〜１ｄ    男性用尿吸収物品
２    本体部
２０    中心線
２１    トップシート
２２    吸収コア
２３    バックシート
２４    折り曲げ線
２５，２６    切り欠き
２７    スリット
３１    ポケット部
３２    第１シート部
３３    第２シート部
４１，４１ａ    第１止着部
４２    第２止着部
４３    第３止着部
５１    第１弾性部材
５２    第２弾性部材
６１    第１傾斜溝
６２    第２傾斜溝
６３    第１縦溝
６４    第２縦溝
３２０    筒状部
３２１    自由端
【図１】
0004627472.tif 000002
【図２】
0004627472.tif 000003
【図３】
0004627472.tif 000004
【図４】
0004627472.tif 000005
【図５】
0004627472.tif 000006
【図６】
0004627472.tif 000007
【図７】
0004627472.tif 000008
【図８】
0004627472.tif 000009
【図９】
0004627472.tif 000010
【図１０】
0004627472.tif 000011